(57)【要約】【課題】簡単な構成で製品をガタ無く確実に固定して輸送時の振動や衝撃による製品の損傷等を確実に防ぐことができる梱包スペーサを提供すること。【解決手段】上面開口部から製品を受け入れてこれを支持する箱状の梱包スペーサ２において、相対向する一対の側壁２ａの相対向する部位を矩形状に切り起こして内側へ折り曲げられた折り曲げ部２ｂを形成し、相対向する折り曲げ部２ｂの先端間の距離Ｌを製品Ｗの幅Ｂよりも小さく設定する（Ｌ＜Ｂ）。又、前記折り曲げ部２ｂを梱包スペーサ２の各側壁２ａの長手方向に複数形成する。【選択図】図１
2008110785.tif 000002
【特許請求の範囲】
【請求項１】
上面開口部から製品を受け入れてこれを支持する箱状の梱包スペーサにおいて、
相対向する一対の側壁の相対向する部位を矩形状に切り起こして内側へ折り曲げられた折り曲げ部を形成し、相対向する折り曲げ部の先端間の距離を製品の幅よりも小さく設定したことを特徴とする梱包スペーサ。
【請求項２】
前記折り曲げ部を前記各側壁の長手方向に複数形成したことを特徴とする請求項１記載の梱包スペーサ。
【発明の詳細な説明】
【技術分野】
【０００１】
本発明は、上面開口部から製品を受け入れてこれを支持する箱状の梱包スペーサに関するものである。
【背景技術】
【０００２】
例えば、図３に示す複写機等の画像形成装置に用いられる帯電ローラ等の製品Ｗを輸送する場合、該製品Ｗは段ボール等から成るホルダ１０１にその軸方向両端が差し込まれて支持され、ホルダ１０１と共に内ケースとしての箱状の梱包スペーサ１０２内にその上面開口部から挿入されて収容される。そして、ホルダ１０１に支持された製品Ｗが収容された梱包スペーサ１０２は、同様の箱状の外ケース１０３内にその上面開口部から挿入されて収納され、該外ケース１０３の上面に不図示の蓋が被せられ、この外ケース１０３を車両等に積載して製品が輸送されていた。
【０００３】
尚、特許文献１には、製品を梱包するための段ボールパッキンについての提案がなされている。
【特許文献１】特開平８−０７２８５７号公報
【発明の開示】
【発明が解決しようとする課題】
【０００４】
しかしながら、図３に示す従来の梱包スペーサ１０２においては、その幅寸法ｂ２がホルダ１０１の幅寸法ｂ１よりも大きいため、製品Ｗを保持したホルダ１０１を梱包スペーサ１０２内に収容した状態では、ホルダ１０１と梱包スペーサ１０２内に（ｂ２−ｂ１）のガタが生じ、このガタによってホルダ１０１が製品Ｗと共に梱包スペーサ１０２内でガタつき、輸送時の振動や衝撃によって製品Ｗが損傷する等の問題が発生していた。
【０００５】
本発明は上記問題に鑑みてなされたもので、その目的とする処は、簡単な構成で製品をガタ無く確実に固定して輸送時の振動や衝撃による製品の損傷等を確実に防ぐことができる梱包スペーサを提供することにある。
【課題を解決するための手段】
【０００６】
上記目的を達成するため、請求項１記載の発明は、上面開口部から製品を受け入れてこれを支持する箱状の梱包スペーサにおいて、相対向する一対の側壁の相対向する部位を矩形状に切り起こして内側へ折り曲げられた折り曲げ部を形成し、相対向する折り曲げ部の先端間の距離を製品の幅よりも小さく設定したことを特徴とする。
【０００７】
請求項２記載の発明は、請求項１記載の発明において、前記折り曲げ部を前記各側壁の長手方向に複数形成したことを特徴とする。
【発明の効果】
【０００８】
請求項１記載の発明によれば、梱包スペーサの相対向する一対の側壁の相対向する部位に形成された折り曲げ部の先端間の距離を製品の幅よりも小さく設定したため、ホルダ等に保持された製品を梱包スペーサ内に上方から挿入するに伴って相対向する一対の折り曲げ部の先端が押し広げられ、製品が梱包スペーサ内に完全に挿入された状態では、該製品が梱包スペーサの相対向する一対の折り曲げ部の先端によってガタ無く弾性支持されるとともに、折り曲げ部のバネ性によって上方の付勢力を受ける。従って、製品は、梱包スペーサ内にガタ無く確実に固定された状態で収納され、輸送時の振動や衝撃による損傷等が確実に防がれる。又、梱包スペーサは、段ボール等を矩形状に切り起こして内側へ折り曲げるだけの簡単な加工によって構成されるため、低コストで前記効果を得ることができる。
【０００９】
請求項２記載の発明によれば、梱包スペーサの各側壁の長手方向に複数の折り曲げ部を形成したため、長尺物の製品は、その長手方向の複数箇所が折り曲げ部によってガタ無く確実に支持された状態で梱包スペーサ内に収容される。
【発明を実施するための最良の形態】
【００１０】
以下に本発明の実施の形態を添付図面に基づいて説明する。
【００１１】
図１は本発明に係る梱包スペーサとこれを用いて製品を梱包する手順を示す斜視図、図２は図１のＡ−Ａ線断面図である。
【００１２】
図１において、１は段ボール等から成るホルダであって、このホルダ１の長手方向両端にはコの字状に屈曲された支持部１ａが形成されている。そして、このホルダ１には、例えば長尺物の帯電ローラ等の製品Ｗがその両端を支持部１ａに差し込むことによって保持されており、この製品Ｗは、ホルダ１に保持された状態で本発明に係る梱包スペーサ２に上方から挿入されて収容される。
【００１３】
本発明に係る梱包スペーサ２は、段ボール等をコの字状に折り曲げてチャンネル状を成し、その上面は開口している。そして、この梱包スペーサ２の相対向する一対の側壁２ａの長手方向２箇所の相対向する部位が矩形状に切り起こされ、その切り起こし部が内側へ折り曲げられて折り曲げ部２ｂが形成されている。ここで、梱包スペーサ２の相対向する一対の折り曲げ部２ｂの先端間の距離Ｌは製品（正確には製品Ｗを保持するホルダ１）Ｗの幅Ｂよりも小さく設定されている（Ｌ＜Ｂ）。
【００１４】
而して、製品Ｗの輸送に際しては、図２に示すように、ホルダ１に保持された製品Ｗが梱包スペーサ２内に上方から挿入されるが、この製品Ｗの挿入に伴って梱包スペーサ２の相対向する一対の折り曲げ部２ｂの先端が押し広げられ、製品Ｗが梱包スペーサ２内に完全に挿入された状態では、該製品Ｗが梱包スペーサ２の相対向する一対の折り曲げ部２ｂの先端によってガタ無く弾性支持されるとともに、折り曲げ部２ｂのバネ性によって上方の付勢力を受ける。この結果、ホルダ１に保持された製品Ｗは、梱包スペーサ２内にガタ無く確実に固定された状態で収納される。
【００１５】
ホルダ１に保持された製品Ｗが上述のように梱包スペーサ２内にガタ無く確実に固定された状態で収納されると、製品Ｗを収納した梱包スペーサ２が図１に示す細長い箱状の外ケース３内に上方から挿入される。そして、外ケース３の上面開口部に不図示の蓋を被せ、この外ケース３を車両等に積載して製品Ｗが輸送される。
【００１６】
以上のように、本実施の形態によれば、ホルダ１に保持された製品Ｗが梱包スペーサ２の相対向する一対の折り曲げ部２ｂにガタ無く弾性支持された状態で梱包スペーサ２内に収納されるため、該製品Ｗの輸送時の振動や衝撃による損傷等が確実に防がれる。
【００１７】
又、梱包スペーサ２は、段ボール等を矩形状に切り起こして内側へ折り曲げて折り曲げ部２ｂを形成するだけの簡単な加工によって構成されるため、低コストで前記効果を得ることができる。
【００１８】
更に、本実施の形態では、梱包スペーサ２の各側壁２ａの長手方向の２箇所に折り曲げ部２ｂを形成したため、長尺物の帯電ローラ等の製品Ｗは、その長手方向の２箇所が折り曲げ部２ｂによってガタ無く確実に支持された状態で梱包スペーサ２内に収容される。尚、梱包スペーサ２の各側壁２ａの長手方向に形成される折り曲げ部２ｂの数は任意であって、製品の長さによって適切に決定される。
【図面の簡単な説明】
【００１９】
【図１】本発明に係る梱包スペーサとこれを用いて製品を梱包する手順を示す斜視図である。
【図２】図１のＡ−Ａ線断面図である。
【図３】従来の梱包スペーサとこれを用いて製品を梱包する手順を示す斜視図である。
【符号の説明】
【００２０】
１      ホルダ
１ａ    ホルダの支持部
２      梱包スペーサ
２ａ    梱包スペーサの側壁
２ｂ    梱包スペーサの折り曲げ部
３      外ケース
Ｂ      製品の幅
Ｌ      折り曲げ部先端間の距離
Ｗ      製品
【図１】
2008110785.tif 000003
【図２】
2008110785.tif 000004
【図３】
2008110785.tif 000005